(57)【要約】  本発明は、制限されるＵＥ能力の制御方法、装置及びコンピューター記憶媒体を開示し、前記方法は、基地局が端末にＵＥ能力構成情報を送信することと、前記基地局が、前記端末により送信された制限されるＵＥ能力を使用する請求メッセージを受信した場合、制限されるＵＥ能力の使用を確認する応答メッセージを前記端末に送信することとを含み、前記ＵＥ能力構成情報は、前記端末が前記基地局に制限されるＵＥ能力を使用する請求メッセージを送信することができるかどうかを指示する。
2021503195.tif 000002
【特許請求の範囲】
【請求項１】
基地局が端末にＵＥ能力構成情報を送信することと、
前記基地局が、前記端末により送信された、制限されるＵＥ能力を使用する請求メッセージを受信した場合、制限されるＵＥ能力の使用を確認する応答メッセージを前記端末に送信することとを含み、
前記ＵＥ能力構成情報は、前記端末が前記基地局に制限されるＵＥ能力を使用する請求メッセージを送信することができるかどうかを指示する
ことを特徴とする制限されるユーザーデバイスＵＥ能力の制御方法。
【請求項２】
前記基地局が端末にＵＥ能力構成情報を送信することは、
前記基地局が端末にブロードキャストシグナリングを送信することを含み、前記ブロードキャストシグナリングに前記ＵＥ能力構成情報が搬送される
ことを特徴とする請求項１に記載の制限されるユーザーデバイスＵＥ能力の制御方法。
【請求項３】
前記ブロードキャストシグナリングに前記ＵＥ能力構成情報が搬送されることは、
前記ブロードキャストシグナリングに識別情報が設定され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示すことを含む
ことを特徴とする請求項２に記載の制限されるユーザーデバイスＵＥ能力の制御方法。
【請求項４】
前記ブロードキャストシグナリングに識別情報が設定されることは、
前記ブロードキャストシグナリング内のＮ個のビットで各アクセスレベルに対応する識別情報が設定され、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数であることを含む
ことを特徴とする請求項３に記載の制限されるユーザーデバイスＵＥ能力の制御方法。
【請求項５】
前記ブロードキャストシグナリングに構成エリア情報がさらに搬送され、前記構成エリア情報が前記ＵＥ能力構成情報の適用範囲を示し、
前記ＵＥ能力構成情報の適用範囲が、セル、基地局、公共陸上移動ネットワークＰＬＭＮのうちの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される
ことを特徴とする請求項２に記載の制限されるユーザーデバイスＵＥ能力の制御方法。
【請求項６】
前記基地局が端末にＵＥ能力構成情報を送信することは、
前記基地局が端末に専用シグナリングを送信することを含み、前記専用シグナリングに前記ＵＥ能力構成情報が搬送される
ことを特徴とする請求項１に記載の制限されるユーザーデバイスＵＥ能力の制御方法。
【請求項７】
前記専用シグナリングは、無線リソース制御ＲＲＣシグナリング、又はメディアアクセス制御制御要素ＭＡＣ  ＣＥシグナリング、又は物理下り制御チャネルＰＤＣＣＨシグナリングを少なくとも含む
ことを特徴とする請求項６に記載の制限されるユーザーデバイスＵＥ能力の制御方法。
【請求項８】
前記専用シグナリングに識別情報が設定され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す
ことを特徴とする請求項６に記載の制限されるユーザーデバイスＵＥ能力の制御方法。
【請求項９】
前記専用シグナリングに構成エリア情報が搬送され、前記構成エリア情報が前記ＵＥ能力構成情報の適用範囲を示し、
前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される
ことを特徴とする請求項６に記載の制限されるユーザーデバイスＵＥ能力の制御方法。
【請求項１０】
ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記セルである場合、前記端末が前記ＰＬＭＮリストの以外のＰＬＭＮに位置する場合、前記端末に対応するＵＥ能力構成情報を削除する
ことを特徴とする請求項５又は９に記載の制限されるユーザーデバイスＵＥ能力の制御方法。
【請求項１１】
ＵＥ能力制御ユニットと、ＵＥ能力確認ユニット、を備える制限されるユーザーデバイス能力の制御装置であって、
前記ＵＥ能力制御ユニットは、端末にＵＥ能力構成情報を送信するように構成され、前記ＵＥ能力構成情報は、前記端末が前記基地局に制限されるＵＥ能力を使用する請求メッセージを送信することができるかどうかを指示し、
前記ＵＥ能力確認ユニットは、前記端末により送信された、制限されるＵＥ能力を使用する請求メッセージを受信した場合、制限されるＵＥ能力の使用を確認する応答メッセージを前記端末に送信するように構成される
ことを特徴とする制限されるユーザーデバイス能力の制御装置。
【請求項１２】
前記ＵＥ能力制御ユニットは、第１の送信サブユニットを含み、
前記第１の送信サブユニットは、端末にブロードキャストシグナリングを送信するように構成され、前記ブロードキャストシグナリングに前記ＵＥ能力構成情報が搬送される
ことを特徴とする請求項１１に記載の制限されるユーザーデバイス能力の制御装置。
【請求項１３】
前記ＵＥ能力制御ユニットは、さらに、第１の設定サブユニットを含み、
前記第１の設定サブユニットは、前記ブロードキャストシグナリングに識別情報を設定するように構成され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す
ことを特徴とする請求項１２に記載の制限されるユーザーデバイス能力の制御装置。
【請求項１４】
前記第１の設定サブユニットは、さらに、前記ブロードキャストシグナリング内のＮ個のビットで各アクセスレベルに対応する識別情報を設定するように構成され、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数である
ことを特徴とする請求項１３に記載の制限されるユーザーデバイス能力の制御装置。
【請求項１５】
前記ブロードキャストシグナリングに構成エリア情報がさらに搬送され、前記構成エリア情報が前記ＵＥ能力構成情報の適用範囲を示し、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される
ことを特徴とする請求項１２に記載の制限されるユーザーデバイス能力の制御装置。
【請求項１６】
前記ＵＥ能力制御ユニットは、第２の送信サブユニットを含み、
前記第２の送信サブユニットは、端末に専用シグナリングを送信するように構成され、前記専用シグナリングに前記ＵＥ能力構成情報が搬送される
ことを特徴とする請求項１１に記載の制限されるユーザーデバイス能力の制御装置。
【請求項１７】
前記専用シグナリングは、ＲＲＣシグナリング、又はＭＡＣ  ＣＥシグナリング、又はＰＤＣＣＨシグナリングを少なくとも含む
ことを特徴とする請求項１６に記載の制限されるユーザーデバイス能力の制御装置。
【請求項１８】
前記ＵＥ能力制御ユニットは、さらに、第２の設定サブユニットを含み、
前記第２の設定サブユニットは、前記専用シグナリングに識別情報を設定するように構成され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す
ことを特徴とする請求項１６に記載の制限されるユーザーデバイス能力の制御装置。
【請求項１９】
前記専用シグナリングに構成エリア情報が搬送され、前記構成エリア情報が前記ＵＥ能力構成情報の適用範囲を示し、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される
ことを特徴とする請求項１６に記載の制限されるユーザーデバイス能力の制御装置。
【請求項２０】
削除ユニットをさらに含み、
前記削除ユニットは、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記セルである場合、前記端末が前記ＰＬＭＮリストの以外のＰＬＭＮに位置する場合、前記端末に対応するＵＥ能力構成情報を削除するように構成される
ことを特徴とする請求項１５又は１９に記載の制限されるユーザーデバイス能力の制御装置。
【請求項２１】
プロセッサによって実行されると、請求項１〜１０のいずれか１項に記載の方法ステップを実行するコンピュータ実行可能命令を記憶した
ことを特徴とするコンピュータ記憶媒体。
【発明の詳細な説明】
【技術分野】
【０００１】
本発明は、無線通信技術の分野に関し、特に、制限されるユーザデバイス( ＵＥ、Ｕｓｅｒ Ｅｑｕｉｐｍｅｎｔ )能力の制御方法及び装置、コンピュータ記憶媒体に関する。
【背景技術】
【０００２】
第３世代パートナーシッププロジェクト( ３ＧＰＰ、３ｒｄ Ｇｅｎｅｒａｔｉｏｎ Ｐａｒｔｎｅｒｓｈｉｐ Ｐｒｏｊｅｃｔ )の国際標準団体は、人々がサービスの速度、遅延、高速移動性、エネルギー効率に対する追求、及び今後の生活におけるサービスの多様性、複雑性を満たすために、第５世帯( ５Ｇ、５ｔｈ Ｇｅｎｅｒａｔｉｏｎ )の移動通信技術を開発し始めた。
【０００３】
５Ｇ移動通信技術の主な応用シーンは、エンハンスメント型移動ブロードバンド( ｅＭＢＢ、Ｅｎｈａｎｃｅ Ｍｏｂｉｌｅ Ｂｒｏａｄｂａｎｄ )、低遅延高信頼通信( ＵＲＬＬＣ、Ｕｌｔｒａ Ｒｅｌｉａｂｌｅ Ｌｏｗ Ｌａｔｅｎｃｙ Ｃｏｍｍｕｎｉｃａｔｉｏｎ )、大規模機器系通信( ｍＭＴＣ、ｍａｓｓｉｖｅ Ｍａｃｈｉｎｅ Ｔｙｐｅ Ｃｏｍｍｕｎｉｃａｔｉｏｎ )である。
【０００４】
５Ｇ移動通信技術は、次世代無線通信技術( ＮＲ、Ｎｅｗ Ｒａｄｉｏ )とも呼ばれ、ＮＲの早期展開では完全なＮＲカバレッジを達成することが困難であり、そのため、典型的なネットワークカバレッジは、ロングタームエボリューション( ＬＴＥ、Ｌｏｎｇ Ｔｅｒｍ Ｅｖｏｌｕｔｉｏｎ )カバレッジとＮＲカバレッジとの組み合わせである。また、移動体事業者のＬＴＥにおける早期投資を保護するために、ＬＴＥとＮＲとの間の緊密な結合( ｔｉｇｈｔ ｉｎｔｅｒｗｏｒｋｉｎｇ )動作モードが提案されている。
【０００５】
ＵＥは、他のバンドから干渉を受けたり、機器過熱、バッテリー消耗などの問題が発生する場合、ＵＥがこのような問題を緩和するために、一時的に自身のＵＥ能力を変更して基地局に報告し、制限されるＵＥ能力情報(すなわち、制限されるＵＥの能力情報)を使用するように基地局に要求する。
【０００６】
しかしながら、ＵＥが、ＵＥ自身の能力を一時的に変更することをサポートするかどうかは、その解決策ではなく、結果として、移動体事業者は、ＵＥの能力を効果的に管理できない。
【発明の概要】
【０００７】
本発明の実施例は、上記技術的課題を解決するために、制限されるＵＥ能力の制御方法及び装置、コンピュータ記憶媒体を提供する。
【０００８】
本発明の実施例は、制限されるＵＥの能力の制御方法を提供し
基地局が端末にＵＥ能力構成情報を送信することと、
前記基地局が、前記端末により送信された、制限されるＵＥ能力を使用する請求メッセージを受信した場合、制限されるＵＥ能力の使用を確認する応答メッセージを前記端末に送信することとを含み、前記ＵＥ能力構成情報は、前記端末が前記基地局に制限されるＵＥ能力を使用する請求メッセージを送信することができるかどうかを指示する。
【０００９】
本発明の実施例において、前記基地局が端末にＵＥ能力構成情報を送信することは、
前記基地局が端末にブロードキャストシグナリングを送信することを含み、前記ブロードキャストシグナリングに前記ＵＥ能力構成情報が搬送される。
【００１０】
本発明の実施例において、前記ブロードキャストシグナリングに前記ＵＥ能力構成情報が搬送されることは、
前記ブロードキャストシグナリングに識別情報が設定され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示すことを含む。
【００１１】
本発明の実施例において、前記ブロードキャストシグナリングに識別情報が設定されることは、
前記ブロードキャストシグナリング内のＮ個のビットで各アクセスレベルに対応する識別情報が設定され、ここで、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数であることを含む。
【００１２】
本発明の実施例において、前記ブロードキャストシグナリングに構成エリア情報がさらに搬送され、前記構成エリア情報が前記ＵＥ能力構成情報の適用範囲を示し、ここで、前記ＵＥ能力構成情報の適用範囲は、セル、基地局、公共陸上移動ネットワーク（ＰＬＭＮ、Ｐｕｂｌｉｃ Ｌａｎｄ Ｍｏｂｉｌｅ Ｎｅｔｗｏｒｋ）のうちの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される。
【００１３】
本発明の実施例において、前記基地局が端末にＵＥ能力構成情報を送信することは、
前記基地局が端末に専用シグナリングを送信することを含み、前記専用シグナリングに前記ＵＥ能力構成情報が搬送される。
【００１４】
本発明の実施例において、前記専用シグナリングは、無線リソース制御（ＲＲＣ、Ｒａｄｉｏ Ｒｅｓｏｕｒｃｅ Ｃｏｎｔｒｏｌ）シグナリング、又はメディアアクセス制御制御要素（ＭＡＣ ＣＥ、Ｍｅｄｉａ Ａｃｃｅｓｓ Ｃｏｎｔｒｏｌ Ｃｏｎｔｒｏｌ Ｅｌｅｍｅｎｔ）シグナリング、又は物理下り制御チャネル（ＰＤＣＣＨ、Ｐｈｙｓｉｃａｌ Ｄｏｗｎｌｉｎｋ Ｃｏｎｔｒｏｌ Ｃｈａｎｎｅｌ）シグナリングを少なくとも含む。
【００１５】
本発明の実施例において、前記専用シグナリングに識別情報が設定され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００１６】
本発明の実施例において、前記専用シグナリングに構成エリア情報が搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される。
【００１７】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記セルである場合、前記端末が前記ＰＬＭＮリストの以外のＰＬＭＮに位置する場合、前記端末に対応するＵＥ能力構成情報を削除する。
【００１８】
本発明の実施例は、ＵＥ能力制御ユニットと、ＵＥ能力確認ユニットと、を備える制限されるユーザーデバイス能力の制御装置を提供し、
ＵＥ能力制御ユニットは、端末にＵＥ能力構成情報を送信するように構成され、前記ＵＥ能力構成情報は、前記端末が前記基地局に制限されるＵＥ能力を使用する請求メッセージを送信することができるかどうかを指示し、
ＵＥ能力確認ユニットは、前記端末により送信された制限されるＵＥ能力を使用する請求メッセージを受信した場合、制限されるＵＥ能力の使用を確認する応答メッセージを前記端末に送信するように構成される。
【００１９】
本発明の実施例において、前記ＵＥ能力制御ユニットは、第１の送信サブユニットを含み
第１の送信サブユニットは、端末にブロードキャストシグナリングを送信するように構成され、前記ブロードキャストシグナリングに前記ＵＥ能力構成情報が搬送される。
【００２０】
本発明の実施例において、前記ＵＥ能力制御ユニットは、さらに、第１の設定サブユニットを含み、
第１の設定サブユニットは、前記ブロードキャストシグナリングに識別情報を設定するように構成され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００２１】
本発明の実施例において、前記第１の設定サブユニットは、さらに、前記ブロードキャストシグナリング内のＮ個のビットで各アクセスレベルに対応する識別情報を設定するように構成され、ここで、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数である。
【００２２】
本発明の実施例において、前記ブロードキャストシグナリングに構成エリア情報がさらに搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される。
【００２３】
本発明の実施例において、前記ＵＥ能力制御ユニットは、第２の送信サブユニットを含み、
第２の送信サブユニットは、端末に専用シグナリングを送信するように構成され、前記専用シグナリングに前記ＵＥ能力構成情報が搬送される。
【００２４】
本発明の実施例において、前記専用シグナリングは、ＲＲＣシグナリング、ＭＡＣ ＣＥシグナリング、又はＰＤＣＣＨシグナリングを少なくとも含む。
【００２５】
本発明の実施例において、前記ＵＥ能力制御ユニットは、さらに、第２の設定サブユニットを含み、
第２の設定サブユニットは、前記専用シグナリングに識別情報を設定するように構成され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００２６】
本発明の実施例において、前記専用シグナリングに構成エリア情報が搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される。
【００２７】
本発明の実施例において、前記装置は、さらに、削除ユニットを含み、
削除ユニットは、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記セルである場合、前記端末が前記ＰＬＭＮリストの以外のＰＬＭＮに位置する場合、前記端末に対応するＵＥ能力構成情報を削除するように構成される。
【００２８】
本発明の実施例は、プロセッサによって実行されると、上述した制限されるＵＥの能力の制御方法を実現するコンピュータ実行可能命令を記憶したコンピュータ記憶媒体を提供する。
【００２９】
本発明の実施例に係る技術案において、基地局が端末にＵＥ能力構成情報を送信し、前記ＵＥ能力構成情報は、前記端末が前記基地局に制限されるＵＥ能力を使用する請求メッセージを送信することができるかどうかを指示し、前記基地局が、前記端末により送信された制限されるＵＥ能力を使用する請求メッセージを受信した場合、制限されるＵＥ能力の使用を確認する応答メッセージを前記端末に送信する。
【００３０】
本発明の実施例の技術的解決策によれば、基地局は端末が制限されるＵＥの能力を使用する要求メッセージを送信することができるかどうかをブロードキャストシグナリング又は専用シグナリングによって知らせることで、通信事業者が制限されるＵＥ能力を管理する目的を達成する。
【図面の簡単な説明】
【００３１】
本明細書に記載された図面は、本発明の更なる理解を提供するために提供されたものであり、本願の一部を構成し、本発明の例示的な実施形態及びその説明は、本発明を説明するためのものであり、本発明を限定するものではない。
【図１】本発明の実施例における制限されるＵＥ能力の制御方法のフローチャート一である。
【図２】本発明の実施例における制限されるＵＥ能力の制御方法のフローチャート二である。
【図３】本発明の実施例における制限されるＵＥ能力制御方法のフローチャート三である。
【図４】本発明の実施例における制限されるユーザーデバイス能力の制御装置の構成図一である。
【図５】本発明の実施例における制限されるユーザーデバイス能力の制御装置の構成図二である。
【図６】本発明の実施例における制限されるユーザーデバイス能力の制御装置の構成図三である。
【図７】本発明の実施例における基地局の構成図である。
【発明を実施するための形態】
【００３２】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００３３】
なお、本発明の実施例に係る技術案は、主に５Ｇ移動通信システムに適用されるが、勿論、本発明の実施例に係る技術案は、５Ｇ移動通信システムに限定されず、他の移動通信システムにも適用可能である。５Ｇ移動通信システムにおける主な適用シーンを以下に説明する。
【００３４】
１) ｅＭＢＢシーンとして、ｅＭＢＢは、ユーザがマルチメディアコンテンツ、サービス、及びデータを入手することを目指し、そのサービス需要が非常に急速に伸びている。ｅＭＢＢは、屋内、市区、農村など、様々な場面に展開される可能性があり、そのサービス能力や需要の違いも比較的大きいため、具体的な展開シーンによって分析しなければならない。
【００３５】
２) ＵＲＬＬＣシーンとして、ＵＲＬＬＣの典型的な用途は、工業自動化、電気自動化、遠隔医療操作、交通安全保障などを含む。
【００３６】
３) ｍＭＴＣシーンとして、ＵＲＬＬＣの典型的な特徴は、高い接続密度、少ないデータ量、遅延非感受性トラフィック、モジュールの低コスト及び長い寿命などである。
【００３７】
ＮＲにおけるＵＥ能力取得アーキテクチャに関して、ＵＥは、制限されるＵＥ能力を使用する要求メッセージを基地局に送信し、基地局は、制限されるＵＥ能力の使用することを確認する応答メッセージをＵＥに送信し、その後、ＵＥと基地局との間は、制限されるＵＥの能力情報に基づいてインタラクトする。なお、この一時的に制限されるＵＥ能力は、５Ｇコアネットワーク( ５ＧＣ、５Ｇ  Ｃｏｒｅ )に対して透明であり、すなわち、静的なＵＥ能力情報のみが５ＧＣに記憶される。
【００３８】
具体的には、ＵＥメーカがＵＥが自律的に自身のＵＥ能力を変更することができ、通信事業者の視点から、機器の不安定さ、予期せぬＵＥ挙動、追加のシグナリング負荷、及びユーザのクレームなどをもたらす可能性があるため、ＵＥのＵＥ能力の変更が、ネットワーク側の制御下でＵＥ能力の変更を行う必要がある。
【００３９】
本発明の実施例は、通信事業者がＵＥ能力を管理できるようにする目的で、制限されるＵＥ能力を制御方法を提供し、特に、基地局が、ＵＥが制限される能力使用するように制御方法を提案する。
【００４０】
図１は本発明の実施例における制限されるＵＥ能力の制御方法のフローチャート一であり、図１に示すように、前記ＵＥ能力の制御方法は、以下のステップを含む。
【００４１】
ステップ１０１において、基地局が端末にＵＥ能力構成情報を送信し、前記ＵＥ能力構成情報は、前記端末が前記基地局に制限されるＵＥ能力を使用する請求メッセージを送信することができるかどうかを指示する。
【００４２】
本発明の実施例において、端末は、携帯電話、タブレット、ノート、車載端末、スマート家電、産業用端末などの任意の種類の端末であってもよい。基地局は、ＬＴＥにおけるｅＮＢ、ＮＲにおけるｇＮＢなどの任意のタイプの基地局であり得る。
【００４３】
本発明の実施例において、基地局が端末にＵＥ能力構成情報を送信することは、以下の方式で実現することができる。
【００４４】
方式１において、基地局が端末にブロードキャストシグナリングを送信し、前記ブロードキャストシグナリングに前記ＵＥ能力構成情報が搬送される。
【００４５】
方式２において、基地局が端末に専用シグナリングを送信し、前記専用シグナリングに前記ＵＥ能力構成情報が搬送される。
【００４６】
ここで、前記専用シグナリングは、ＲＲＣシグナリング、又はＭＡＣ ＣＥシグナリング、又はＰＤＣＣＨシグナリングを少なくとも含む。
【００４７】
ステップ１０２において、前記基地局が、前記端末により送信された制限されるＵＥ能力を使用する請求メッセージを受信した場合、制限されるＵＥ能力の使用を確認する応答メッセージを前記端末に送信する。
【００４８】
本発明の実施例では、端末が基地局によって送信されたＵＥ能力構成情報を受信した後、端末が制限されるＵＥ能力を使用する要求メッセージを基地局に送信できるか否かをＵＥ能力構成情報に基づいて決定する。端末が制限されるＵＥ能力を使用する要求メッセージを基地局に送信することができると決定する場合、端末が他のバンドからの干渉を受けたり、機器の過熱、バッテリーの消耗などの問題が発生したりする場合に、制限されるＵＥ能力を使用する請求メッセージを基地局に送信し、基地局は、端末からの制限されるＵＥ能力を使用する請求メッセージを受信した後、制限されるＵＥ能力の使用を決定する応答メッセージを端末に返信する。
【００４９】
図２は本発明の実施例における制限されるＵＥ能力の制御方法のフローチャート二であり、図２に示すように、前記ＵＥ能力の制御方法は、以下のステップを含む。
【００５０】
ステップ２０１において、基地局は、前記ブロードキャストシグナリングに識別情報を設定し、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００５１】
本発明の実施例において、ＵＥ能力構成情報は、ブロードキャストシグナリングにおける識別情報によって実現される。一実施形態では、ブロードキャストシグナリングに識別情報（ｆｌａｇ）が設定されて、ＵＥが制限されるＵＥ能力を使用する要求メッセージを基地局に送信できるかどうかを示す。
【００５２】
例えば、ｆｌａｇ＝１である場合、端末が前記基地局に制限されるＵＥ能力を使用する請求メッセージを送信することができることを示し、ｆｌａｇ＝０である場、端末が制限されるＵＥ能力を使用する請求メッセージを前記基地局に送信することができないことを示す。
【００５３】
上位ユーザのサービス体験を保証するために、基地局は、端末のアクセスレベル情報、又はユーザ優先度情報に応じて、前記ブロードキャストシグナリングに識別情報を設定する。ある実施形態において、前記ブロードキャストシグナリング内のＮ個のビットを利用して各アクセスレベル（ＡＣ、Ａｃｃｅｓｓ Ｃｌａｓｓ）に対応する識別情報を設定し、ここで、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数である。
【００５４】
ここで、ｆｌａｇは、各端末のＡＣに対して１つずつ配置される。複数のＡＣについて、対応するすべてのｆｌａｇは、ＡＣビットマップを形成し、ＡＣ ｂｉｔｍａｐがＮ個のビットを含むと仮定し、各ビットは１つのＡＣに対応し、例えば、１番目のビットはＡＣ = ０に対応し、２番目のビットはＡＣ = １に対応し、同様、Ｎ番目のビットはＡＣ = Ｎ-１に対応する。１番目のビットが０に設定される場合、ＡＣ = ０のユーザは、制限されるＵＥ能力を使用する要求メッセージを基地局に送信することができない。第２のビットが１に設定される場合、ＡＣ = １のユーザは、制限されるＵＥ能力を使用する要求メッセージを基地局に送ることができる。
【００５５】
表１は、ＡＣ ｂｉｔｍａｐと制限されるＵＥ能力との関係図であり、表１に示すように、端末は、ブロードキャストシグナリングを受信した後、自身のＡＣ値に応じて、ブロードキャストシグナリング内のＡＣ ｂｉｔｍａｐにおいて自身のＡＣ値に対応するｆｌａｇを参照し、制限されるＵＥ能力を使用する要求メッセージを基地局に送信することができるかどうかを決定する。例えば、端末自体のＡＣ値は３であり、対応するフラグはブロードキャストシグナリングに基づいて１であると決定され、そして、この端末は、制限されるＵＥ能力を使用する要求メッセージを基地局に送信することができる。
【００５６】
【表１】
2021503195.tif 000003
【００５７】
ある実施形態において、前記ブロードキャストシグナリングに構成エリア情報がさらに搬送され、前記構成エリア情報が前記ＵＥ能力構成情報の適用範囲を示し、ここで、前記ＵＥ能力構成情報の適用範囲は、セル、基地局、ネットワークＰＬＭＮのうちの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される。
【００５８】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記セルである場合、前記端末が前記ＰＬＭＮリストの以外のＰＬＭＮに位置する場合、前記端末に対応するＵＥ能力構成情報を削除する。
【００５９】
ステップ２０２において、基地局が端末にブロードキャストシグナリングを送信する。
【００６０】
ここで、ブロードキャストシグナリングにステップ２０１で設定されたＵＥ能力構成情報が搬送される。
【００６１】
ステップ２０３において、前記基地局が、前記端末により送信された制限されるＵＥ能力を使用する請求メッセージを受信した場合、制限されるＵＥ能力の使用を確認する応答メッセージを前記端末に送信する。
【００６２】
本発明の実施例では、端末が基地局によって送信されたブロードキャストシグナリングを受信すした後、端末が制限されるＵＥ能力を使用する要求メッセージを基地局に送信できるか否かをブロードキャストシグナリングに基づいて決定する。端末が制限されるＵＥ能力を使用する要求メッセージを基地局に送信することができると決定する場合、端末が他のバンドからの干渉を受けたり、機器の過熱、バッテリーの消耗などの問題が発生したりする場合に、制限されるＵＥ能力を使用する請求メッセージを基地局に送信し、基地局は、端末からの制限されるＵＥ能力を使用する請求メッセージを受信した後、制限されるＵＥ能力の使用を決定する応答メッセージを端末に返信する。
【００６３】
図３は本発明の実施例における制限されるＵＥ能力の制御方法のフローチャート三であり、図３に示すように、以下のステップを含む。
【００６４】
ステップ３０１において、基地局が専用シグナリングに識別情報を設定し、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００６５】
本発明の実施例において、ＵＥ能力構成情報は、専用シグナリング内の識別情報によって実現される。ある実施形態において、前記ブロードキャストシグナリングに１つの識別情報（ｆｌａｇ）を設定して、ＵＥが制限されるＵＥ能力を使用する請求メッセージを前記基地局に送信することができるかどうかを示す。
【００６６】
例えば、ｆｌａｇ＝１である場合、端末が制限されるＵＥ能力を使用する請求メッセージを前記基地局に送信することができることを示し、ｆｌａｇ＝０である場合、端末が制限されるＵＥ能力を使用する請求メッセージを前記基地局に送信することができないことを示す。
【００６７】
本発明の実施例において、専用シグナリングは、ＲＲＣシグナリング、又はＭＡＣ ＣＥシグナリング、又はＰＤＣＣＨシグナリングを少なくとも含む。
【００６８】
ある実施形態において、前記専用シグナリングに構成エリア情報が搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される。
【００６９】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記セルである場合、前記端末が前記ＰＬＭＮリストの以外のＰＬＭＮに位置する場合、前記端末に対応するＵＥ能力構成情報を削除する。
【００７０】
ステップ３０２において、基地局が端末に専用シグナリングを送信する。
【００７１】
ここで、専用シグナリングにステップ３０１で設定されたＵＥ能力構成情報が搬送される。
【００７２】
ステップ３０３において、前記基地局が、前記端末により送信された制限されるＵＥ能力を使用する請求メッセージを受信した場合、制限されるＵＥ能力の使用を確認する応答メッセージを前記端末に送信する。
【００７３】
本発明の実施例では、端末が基地局によって送信された専用シグナリングを受信した後、端末が制限されるＵＥ能力を使用する要求メッセージを基地局に送信できるか否かを専用シグナリングに基づいて決定する。端末が制限されるＵＥ能力を使用する要求メッセージを基地局に送信することができると決定する場合、端末が他のバンドからの干渉を受けたり、機器の過熱、バッテリーの消耗などの問題が発生したりする場合に、制限されるＵＥ能力を使用する請求メッセージを基地局に送信し、基地局は、端末からの制限されるＵＥ能力を使用する請求メッセージを受信した後、制限されるＵＥ能力の使用を決定する応答メッセージを端末に返信する。
【００７４】
図４は本発明の実施例における制限されるユーザーデバイス能力の制御装置の構成図一であり、図４に示すように、前記制限されるユーザーデバイス能力の制御装置は、ＵＥ能力制御ユニット４０１とＵＥ能力確認ユニット４０２を備える
ＵＥ能力制御ユニット４０１は、端末にＵＥ能力構成情報を送信するように構成され、前記ＵＥ能力構成情報は、前記端末が前記基地局に制限されるＵＥ能力を使用する請求メッセージを送信することができるかどうかを指示し、
ＵＥ能力確認ユニット４０２は、前記端末により送信された制限されるＵＥ能力を使用する請求メッセージを受信した場合、制限されるＵＥ能力の使用を確認する応答メッセージを前記端末に送信するように構成される。
【００７５】
図４に示す制限されるユーザデバイスＵＥ能力の制御装置における各ユニットの実装機能は、上記の制限されるユーザデバイスＵＥ能力の制御方法に関する説明を参照することによって理解され得ることを当業者は理解するであろう。図４に示す制限されるユーザデバイスＵＥの能力の制御装置における各部の機能は、プロセッサ上で動作するプログラムによって実現されてもよく、具体的な論理回路によって実現されてもよい。
【００７６】
図５は本発明の実施例における制限されるユーザーデバイス能力の制御装置の構成図二であり、図５に示すように、前記制限されるユーザーデバイス能力の制御装置は、ＵＥ能力制御ユニット５０１とＵＥ能力確認ユニット５０２を備える。
【００７７】
ＵＥ能力制御ユニット５０１は、端末にＵＥ能力構成情報を送信するように構成され、前記ＵＥ能力構成情報は、前記端末が前記基地局に制限されるＵＥ能力を使用する請求メッセージを送信することができるかどうかを指示し、
ＵＥ能力確認ユニット５０２は、前記端末により送信された制限されるＵＥ能力を使用する請求メッセージを受信した場合、制限されるＵＥ能力の使用を確認する応答メッセージを前記端末に送信するように構成される。
【００７８】
ここで、前記ＵＥ能力制御ユニット５０１は、第１の送信サブユニット５０１１をさらに含み、
第１の送信サブユニット５０１１は、端末にブロードキャストシグナリングを送信するように構成され、前記ブロードキャストシグナリングに前記ＵＥ能力構成情報が搬送される。
【００７９】
前記ＵＥ能力制御ユニット５０１は、さらに、第１の設定サブユニット５０１２を含み、
第１の設定サブユニット５０１２は、前記ブロードキャストシグナリングに識別情報を設定するように構成され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００８０】
ここで、前記第１の設定サブユニット５０１２は、さらに、前記ブロードキャストシグナリング内のＮ個のビットで各アクセスレベルに対応する識別情報を設定するように構成され、ここで、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数である。
【００８１】
ある実施形態において、前記ブロードキャストシグナリングに構成エリア情報がさらに搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される。
【００８２】
ある実施形態において、前記装置は、さらに、削除ユニット５０３を含み、
削除ユニット５０３は、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記セルである場合、前記端末が前記ＰＬＭＮリストの以外のＰＬＭＮに位置する場合、前記端末に対応するＵＥ能力構成情報を削除するように構成される。
【００８３】
図５に示す制限されるユーザデバイスＵＥ能力の制御装置における各ユニットの機能は、上述の制限されるユーザデバイスＵＥ能力の制御方法に関する説明を参照することによって理解され得ることを当業者は理解するであろう。図５に示す制限されるユーザデバイスＵＥの能力の制御装置における各部の機能は、プロセッサ上で動作するプログラムによって実現されてもよく、具体的な論理回路によって実現されてもよい。
【００８４】
図６は本発明の実施例における制限されるユーザーデバイス能力の制御装置の構成図三であり、図６に示すように、前記制限されるユーザーデバイス能力の制御装置は、ＵＥ能力制御ユニット６０１とＵＥ能力確認ユニット６０２を含み
ＵＥ能力制御ユニット６０１は、端末にＵＥ能力構成情報を送信するように構成され、前記ＵＥ能力構成情報は、前記端末が前記基地局に制限されるＵＥ能力を使用する請求メッセージを送信することができるかどうかを指示し、
ＵＥ能力確認ユニット６０２は、前記端末により送信された制限されるＵＥ能力を使用する請求メッセージを受信した場合、制限されるＵＥ能力の使用を確認する応答メッセージを前記端末に送信するように構成される。
【００８５】
ここで、前記ＵＥ能力制御ユニット６０１は、第２の送信サブユニット６０１１を含み、
第２の送信サブユニット６０１１は、端末に専用シグナリングを送信するように構成され、前記専用シグナリングに前記ＵＥ能力構成情報が搬送される。
【００８６】
前記専用シグナリングは、ＲＲＣシグナリング、又はＭＡＣ ＣＥシグナリング、又はＰＤＣＣＨシグナリングを少なくとも含む。
【００８７】
ある実施形態において、前記ＵＥ能力制御ユニット６０１は、さらに、第２の設定サブユニット６０１２を含み、
第２の設定サブユニット６０１２は、前記専用シグナリングに識別情報を設定するように構成され、ここで、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す。
【００８８】
ある実施形態において、前記専用シグナリングに構成エリア情報が搬送され、前記構成エリア情報が前記ＵＥ能力構成情報の適用範囲を示し、ここで、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記専用シグナリングにＰＬＭＮリストさらに搬送され、
前記ＵＥ能力構成情報の適用範囲が前記セルである場合、前記専用シグナリングにセルリストがさらに搬送され、
前記ＵＥ能力構成情報の適用範囲が前記基地局である場合、前記専用シグナリングに基地局リストがさらに搬送される。
【００８９】
ある実施形態において、前記装置は、さらに、削除ユニット６０３を含み、
削除ユニット６０３は、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記セルである場合、前記端末が前記ＰＬＭＮリストの以外のＰＬＭＮに位置する場合、前記端末に対応するＵＥ能力構成情報を削除するように構成される。
【００９０】
図６に示す制限されるユーザデバイスＵＥ能力の制御装置における各ユニットの機能は、上述の制限されるユーザデバイスＵＥ能力の制御方法に関する説明を参照することによって理解され得ることを当業者は理解するであろう。図６に示す制限されるユーザデバイスＵＥの能力の制御装置における各部の機能は、プロセッサ上で動作するプログラムによって実現されてもよく、具体的な論理回路によって実現されてもよい。
【００９１】
本発明の実施例に係る前記制限されるユーザデバイスＵＥの能力の制御装置は、ソフトウェア機能モジュールの形態で具現され、独立した製品として販売又は使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【００９２】
したがって、本発明の実施例は、プロセッサによって実行されると、本発明の実施例に係る上述した制限されるユーザデバイスＵＥ能力の制御方法を実現するコンピュータ実行可能命令を記憶したコンピュータ記憶媒体をさらに提供する。
【００９３】
図７は、本発明の実施例に係る基地局の構成を示す図であり、図７に示すように、基地局７０は、１つ又は複数の(図面には１つのみ示す)プロセッサ７０２ (プロセッサ７０２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これに限定されない)、データを記憶するメモリ７０４、及び通信機能のため伝送装置７０６を含み得る。図７に示す構成は、例示であり、上述した電子装置の構成に限定されないことは、当業者に理解されるところである。例えば、基地局７０は、図７に示されるよりも多いか少ないコンポーネントをさらに含み得るか、又は図７に示されるものとは異なる構成を有し得る。
【００９４】
メモリ７０４は、本発明の実施形態に係る制限されるユーザデバイスＵＥの能力の制御方法に対応するプログラム命令/モジュールのようなアプリケーションのソフトウェアプログラム及びモジュールを格納するために使用されてもよく、プロセッサ７０２は、メモリ７０４に格納されたソフトウェアプログラム及びモジュールを実行することによって、様々な機能アプリケーション及びデータ処理を実行し、すなわち、上述した方法を実現する。メモリ７０４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ７０４は、プロセッサ７０２に対してリモートに配置されたメモリをさらに含んでもよく、それらは、ネットワークを介して基地局７０に接続されてもよい。上記ネットワークの例としては、インターネット、イントラネット、ローカルエリアネットワーク、移動体通信ネットワーク、及びこれらの組み合わせが挙げられるが、これらに限定されない。
【００９５】
伝送装置７０６は、ネットワークを介してデータを送受信するための装置である。上記のネットワークの具体例としては、基地局７０の通信事業者が提供する無線ネットワークが挙げられる。一例では、伝送装置７０６は、基地局を介して他のネットワークデバイスに接続可能であり、インターネットと通信可能であるネットワークアダプタ( ＮＩＣ、Ｎｅｔｗｏｒｋ Ｉｎｔｅｒｆａｃｅ Ｃｏｎｔｒｏｌｌｅｒ )を含む。一例では、送信デバイス７０６は、無線方式でインターネットと通信するための無線周波数( ＲＦ、Ｒａｄｉｏ Ｆｒｅｑｕｅｎｃｙ )モジュールであり得る。
【００９６】
本発明の実施例に記載した技術的手段は、矛盾なき限り、任意に組み合わせることができる。
【００９７】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００９８】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施形態の目的を達成する手段の一部又は全部を、必要に応じて選択することができる。
【００９９】
また、本発明の各実施例における各機能部は、全てが１つの第２の処理部に集積されてもよく、各部がそれぞれ単独で１つのユニットとして構成されてもよく、２つ以上のユニットが１つのユニットに集積されてもよく、上記の統合されたユニットは、ハードウェアの形態で実現されてもよく、ハードウェア及びソフトウェア機能ユニットの形態で実現されてもよい。
【０１００】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021503195.tif 000004
【図２】
2021503195.tif 000005
【図３】
2021503195.tif 000006
【図４】
2021503195.tif 000007
【図５】
2021503195.tif 000008
【図６】
2021503195.tif 000009
【図７】
2021503195.tif 000010
【手続補正書】
【提出日】令和2年9月18日(2020.9.18)
【手続補正１】
【補正対象書類名】明細書
【補正対象項目名】００１８
【補正方法】変更
【補正の内容】
【００１８】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除する。
【手続補正２】
【補正対象書類名】明細書
【補正対象項目名】００２８
【補正方法】変更
【補正の内容】
【００２８】
本発明の実施例において、前記装置は、さらに、削除ユニットを含み、
削除ユニットは、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除するように構成される。
【手続補正３】
【補正対象書類名】明細書
【補正対象項目名】００６０
【補正方法】変更
【補正の内容】
【００６０】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除する。
【手続補正４】
【補正対象書類名】明細書
【補正対象項目名】００７１
【補正方法】変更
【補正の内容】
【００７１】
本発明の実施例において、ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除する。
【手続補正５】
【補正対象書類名】明細書
【補正対象項目名】００８４
【補正方法】変更
【補正の内容】
【００８４】
ある実施形態において、前記装置は、さらに、削除ユニット５０３を含み、
削除ユニット５０３は、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記セルである場合、前記端末が前記ＰＬＭＮリストの以外のＰＬＭＮに位置する場合、前記端末に対応するＵＥ能力構成情報を削除するように構成される。
【手続補正６】
【補正対象書類名】明細書
【補正対象項目名】００９１
【補正方法】変更
【補正の内容】
【００９１】
ある実施形態において、前記装置は、さらに、削除ユニット６０３を含み、
削除ユニット６０３は、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除するように構成される。
【手続補正７】
【補正対象書類名】特許請求の範囲
【補正対象項目名】全文
【補正方法】変更
【補正の内容】
【特許請求の範囲】
【請求項１】
基地局が端末にＵＥ能力構成情報を送信することと、
前記基地局が、前記端末により送信された、制限されるＵＥ能力を使用する請求メッセージを受信することを応答し、制限されるＵＥ能力の使用を確認する応答メッセージを前記端末に送信することとを含み、
前記ＵＥ能力構成情報は、前記端末が前記基地局に制限されるＵＥ能力を使用する請求メッセージを送信することができるかどうかを指示する
ことを特徴とする制限されるユーザーデバイスＵＥ能力の制御方法。
【請求項２】
前記基地局が端末にＵＥ能力構成情報を送信することは、
前記基地局が端末にブロードキャストシグナリングを送信することを含み、前記ブロードキャストシグナリングに前記ＵＥ能力構成情報が搬送され、
又は、
前記基地局が端末に専用シグナリングを送信することを含み、前記専用シグナリングに前記ＵＥ能力構成情報が搬送される
ことを特徴とする請求項１に記載の制限されるユーザーデバイスＵＥ能力の制御方法。
【請求項３】
前記ブロードキャストシグナリングに前記ＵＥ能力構成情報が搬送されることは、
前記ブロードキャストシグナリングに識別情報が設定され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示すこと
又は、
前記専用シグナリングに識別情報が設定され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示すことを含む
ことを特徴とする請求項２に記載の制限されるユーザーデバイスＵＥ能力の制御方法。
【請求項４】
前記ブロードキャストシグナリングに識別情報が設定されることは、
前記ブロードキャストシグナリング内のＮ個のビットで各アクセスレベルに対応する識別情報が設定され、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数であることを含む
ことを特徴とする請求項３に記載の制限されるユーザーデバイスＵＥ能力の制御方法。
【請求項５】
前記ブロードキャストシグナリングに構成エリア情報がさらに搬送され、前記構成エリア情報が前記ＵＥ能力構成情報の適用範囲を示し、
前記ＵＥ能力構成情報の適用範囲が、セル、基地局、公共陸上移動ネットワークＰＬＭＮのうちの少なくとも１つを含み、
又は、
前記専用シグナリングに構成エリア情報がさらに搬送され、前記構成エリア情報が前記ＵＥ能力構成情報の適用範囲を示し、
前記ＵＥ能力構成情報の適用範囲が、セル、基地局、ＰＬＭＮの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される
ことを特徴とする請求項２に記載の制限されるユーザーデバイスＵＥ能力の制御方法。
【請求項６】
前記専用シグナリングは、無線リソース制御ＲＲＣシグナリング、又はメディアアクセス制御制御要素ＭＡＣ ＣＥシグナリング、又は物理下り制御チャネルＰＤＣＣＨシグナリングを少なくともを含む
ことを特徴とする請求項２に記載の制限されるユーザーデバイスＵＥ能力の制御方法。
【請求項７】
ＵＥ能力構成情報の適用範囲が前記セルである場合、前記端末がセル変更を行ってから、前記端末に対応するＵＥ能力構成情報を削除し、
ＵＥ能力構成情報の適用範囲が前記基地局である場合、前記端末が基地局の変更を行ってから、前記端末に対応するＵＥ能力構成情報を削除し、
ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除する
ことを特徴とする請求項５に記載の制限されるユーザーデバイスＵＥ能力の制御方法。
【請求項８】
ＵＥ能力制御ユニットと、ＵＥ能力確認ユニット、を備える制限されるユーザーデバイス能力の制御装置であって、
前記ＵＥ能力制御ユニットは、端末にＵＥ能力構成情報を送信するように構成され、前記ＵＥ能力構成情報は、前記端末が前記基地局に制限されるＵＥ能力を使用する請求メッセージを送信することができるかどうかを指示し、
前記ＵＥ能力確認ユニットは、前記端末により送信された、制限されるＵＥ能力を使用する請求メッセージを受信することを応答し、制限されるＵＥ能力の使用を確認する応答メッセージを前記端末に送信するように構成される
ことを特徴とする制限されるユーザーデバイス能力の制御装置。
【請求項９】
前記ＵＥ能力制御ユニットは、第１の送信サブユニット又は第２の送信サブユニットを含み、
前記第１の送信サブユニットは、端末にブロードキャストシグナリングを送信するように構成され、前記ブロードキャストシグナリングに前記ＵＥ能力構成情報が搬送され、
前記第２の送信サブユニットは、端末に専用シグナリングを送信するように構成され、前記専用シグナリングに前記ＵＥ能力構成情報が搬送される
ことを特徴とする請求項８に記載の制限されるユーザーデバイス能力の制御装置。
【請求項１０】
前記ＵＥ能力制御ユニットは、さらに、第１の設定サブユニット又は第２の設定サブユニットを含み、
前記第１の設定サブユニットは、前記ブロードキャストシグナリングに識別情報を設定するように構成され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示し、
前記第２の設定サブユニットは、前記専用シグナリングに識別情報を設定するように構成され、前記識別情報が第１の所定値である場合、前記端末が前記基地局に制限されるＵＥ能力を使用する請求メッセージを送信することができるように示し、前記識別情報が第２の所定値である場合、前記端末が前記基地局に制限されるＵＥ能力を使用する請求メッセージを送信することができないように示す
ことを特徴とする請求項９に記載の制限されるユーザーデバイス能力の制御装置。
【請求項１１】
前記第１の設定サブユニットは、さらに、前記ブロードキャストシグナリング内のＮ個のビットで各アクセスレベルに対応する識別情報を設定するように構成され、前記識別情報が第１の所定値である場合、対応するアクセスレベルに該当する端末が前記基地局に制限されるＵＥ能力を使用する請求メッセージを送信することができるように示し、前記識別情報が第２の所定値である場合、対応するアクセスレベルに該当する端末が前記基地局に制限されるＵＥ能力を使用する請求メッセージを送信することができないように示し、Ｎが正の整数である
ことを特徴とする請求項１０に記載の制限されるユーザーデバイス能力の制御装置。
【請求項１２】
前記ブロードキャストシグナリングに構成エリア情報がさらに搬送され、前記構成エリア情報が前記ＵＥ能力構成情報の適用範囲を示し、前記ＵＥ能力構成情報の適用範囲が、セル、基地局、ＰＬＭＮの少なくとも１つを含み、
又は、
前記専用シグナリングに構成エリア情報が搬送され、前記構成エリア情報が前記ＵＥ能力構成情報の適用範囲を示し、前記ＵＥ能力構成情報の適用範囲が、セル、基地局、ＰＬＭＮの少なくとも１つを含み、
前記ＵＥ能力構成情報の適用範囲が前記ＰＬＭＮである場合、前記ブロードキャストシグナリングにＰＬＭＮリストがさらに搬送され、
前記ＵＥ能力構成情報の適用範囲が前記セルである場合、前記ブロードキャストシグナリングにセルリストがさらに搬送され、
前記ＵＥ能力構成情報の適用範囲が前記基地局である場合、前記ブロードキャストシグナリングに基地局リストがさらに搬送される
ことを特徴とする請求項９に記載の制限されるユーザーデバイス能力の制御装置。
【請求項１３】
前記専用シグナリングは、ＲＲＣシグナリング、又はＭＡＣ ＣＥシグナリング、又はＰＤＣＣＨシグナリングを少なくとも含む
ことを特徴とする請求項９に記載の制限されるユーザーデバイス能力の制御装置。
【請求項１４】
削除ユニットをさらに含み、
前記削除ユニットは、ＵＥ能力構成情報の適用範囲が前記セルである場合、前記端末がセル変更を行ってから、前記端末に対応するＵＥ能力構成情報を削除し、ＵＥ能力構成情報の適用範囲が前記基地局である場合、前記端末が基地局の変更を行ってから、前記端末に対応するＵＥ能力構成情報を削除し、ＵＥ能力構成情報の適用範囲が前記ＰＬＭＮである場合、前記端末が前記ＰＬＭＮリストの以外のＰＬＭＮに位置する場合、前記端末に対応するＵＥ能力構成情報を削除するように構成される
ことを特徴とする請求項１１に記載の制限されるユーザーデバイス能力の制御装置。
【請求項１５】
プロセッサによって実行されると、請求項１〜７のいずれか１項に記載の方法ステップを実行するコンピュータ実行可能命令を記憶した
ことを特徴とするコンピュータ記憶媒体。
【国際調査報告】
2021503195.tif 000011
2021503195.tif 000012
2021503195.tif 000013
2021503195.tif 000014